(57)【要約】【課題】開閉蓋を好適に開くことができる家庭用薄葉紙収納容器を実現する。【解決手段】この家庭用薄葉紙収納容器１００は、容器本体１に備えられている制動手段４が、開放された開閉蓋２の一部に接触し、回動する開閉蓋２に摩擦力を付与するようにして、その開閉蓋２が回動する勢いを抑えることができるので、開閉蓋２が開いた反動で家庭用薄葉紙収納容器１００が置かれた位置からずれたり向きが変わったりすることがない。こうして、所望する位置に置かれた家庭用薄葉紙収納容器１００の開閉蓋２を好適に開くことができ、その収納容器１００から家庭用薄葉紙Ｐを取り出して使用することができる。【選択図】図１
2020117289.tif 000002
【特許請求の範囲】
【請求項１】
内部に家庭用薄葉紙が収納され、その家庭用薄葉紙を取り出す取出孔を有する容器本体と、
前記容器本体に回動自在に取り付けられ、前記取出孔を閉塞する開閉蓋と、
を備えた家庭用薄葉紙収納容器であって、
前記容器本体は、その少なくとも一部が弾性材料によって形成されており、
前記容器本体は、
前記開閉蓋を閉塞状態で係止するとともに、これを解除して前記開閉蓋を開放させることができる係止手段と、
前記開閉蓋を開放方向に付勢する付勢手段と、
前記弾性材料によって形成された部分と一体的に形成され、開放された状態の前記開閉蓋の一部に接触する制動手段と、
を備えたことを特徴とする家庭用薄葉紙収納容器。
【請求項２】
前記制動手段は、前記開閉蓋の一部に接触した後、前記開閉蓋の回動が止まるまで、前記開閉蓋に摺接するように構成されていることを特徴とする請求項１に記載の家庭用薄葉紙収納容器。
【請求項３】
内部に家庭用薄葉紙が収納され、その家庭用薄葉紙を取り出す取出孔を有する容器本体と、
前記容器本体に回動自在に取り付けられ、前記取出孔を閉塞する開閉蓋と、
を備えた家庭用薄葉紙収納容器であって、
前記開閉蓋は、その少なくとも一部が弾性材料によって形成されており、
前記容器本体は、
前記開閉蓋を閉塞状態で係止するとともに、これを解除して前記開閉蓋を開放させることができる係止手段と、
前記開閉蓋を開放方向に付勢する付勢手段と、
を備え、
前記開閉蓋は、
前記弾性材料によって形成された部分と一体的に形成され、前記開閉蓋が開放された状態で、前記容器本体の一部に接触する制動手段を備えたことを特徴とする家庭用薄葉紙収納容器。
【請求項４】
前記制動手段は、前記容器本体の一部に接触した後、前記開閉蓋の回動が止まるまで、前記容器本体に摺接するように構成されていることを特徴とする請求項３に記載の家庭用薄葉紙収納容器。
【請求項５】
前記制動手段が複数設けられていることを特徴とする請求項１〜４のいずれか一項に記載の家庭用薄葉紙収納容器。
【請求項６】
前記付勢手段は、前記弾性材料によって形成された部分と一体的に形成されていることを特徴とする請求項１〜５のいずれか一項に記載の家庭用薄葉紙収納容器。
【発明の詳細な説明】
【技術分野】
【０００１】
本発明は、家庭用薄葉紙収納容器に関する。
【背景技術】
【０００２】
従来、家庭用薄葉紙であるウェットティッシュ等の収納容器としては、開閉蓋を板バネ等の付勢部材によって開放方向に付勢しつつ、その開閉蓋を所定の係止部材によって閉塞状態で係止しておき、使用者が係止部材に設けられたボタンを操作した際に、ワンタッチで開閉蓋が開くようにしたものが知られている（例えば、特許文献１参照。）。
【先行技術文献】
【特許文献】
【０００３】
【特許文献１】特許第５２８０７４３号公報
【発明の概要】
【発明が解決しようとする課題】
【０００４】
しかしながら、上記特許文献１の収納容器のボタンを操作すると、付勢部材によって付勢されている開閉蓋は全開となるまで減速することなく一気に開き、その開いた反動で開閉蓋がぐらぐらと振動するので、その振動により容器自体が揺れるなどして置かれた位置からずれてしまうことがあった。収納容器が置かれた位置からずれて向きが変わってしまうと、その収納容器から家庭用薄葉紙を取り出し難くなることがある。
【０００５】
本発明の目的は、開閉蓋を好適に開くことができる家庭用薄葉紙収納容器を提供することである。
【課題を解決するための手段】
【０００６】
以上の課題を解決するため、請求項１に記載の発明は、
内部に家庭用薄葉紙が収納され、その家庭用薄葉紙を取り出す取出孔を有する容器本体と、
前記容器本体に回動自在に取り付けられ、前記取出孔を閉塞する開閉蓋と、
を備えた家庭用薄葉紙収納容器であって、
前記容器本体は、その少なくとも一部が弾性材料によって形成されており、
前記容器本体は、
前記開閉蓋を閉塞状態で係止するとともに、これを解除して前記開閉蓋を開放させることができる係止手段と、
前記開閉蓋を開放方向に付勢する付勢手段と、
前記弾性材料によって形成された部分と一体的に形成され、開放された状態の前記開閉蓋の一部に接触する制動手段と、
を備えたことを特徴とする。
かかる構成の家庭用薄葉紙収納容器であれば、容器本体に備えられている制動手段が、開放された開閉蓋の一部に接触し、回動する開閉蓋に摩擦力を付与するようにして、その開閉蓋が回動する勢いを抑えることができるので、開閉蓋が開いた反動で家庭用薄葉紙収納容器が置かれた位置からずれたり向きが変わったりすることがない。
そして、所望する位置に置かれた家庭用薄葉紙収納容器の開閉蓋を好適に開くことができ、その収納容器から家庭用薄葉紙を取り出して使用することができる。
【０００７】
請求項２に記載の発明は、請求項１に記載の家庭用薄葉紙収納容器において、
前記制動手段は、前記開閉蓋の一部に接触した後、前記開閉蓋の回動が止まるまで、前記開閉蓋に摺接するように構成されていることを特徴とする。
【０００８】
請求項３に記載の発明は、
内部に家庭用薄葉紙が収納され、その家庭用薄葉紙を取り出す取出孔を有する容器本体と、
前記容器本体に回動自在に取り付けられ、前記取出孔を閉塞する開閉蓋と、
を備えた家庭用薄葉紙収納容器であって、
前記開閉蓋は、その少なくとも一部が弾性材料によって形成されており、
前記容器本体は、
前記開閉蓋を閉塞状態で係止するとともに、これを解除して前記開閉蓋を開放させることができる係止手段と、
前記開閉蓋を開放方向に付勢する付勢手段と、
を備え、
前記開閉蓋は、
前記弾性材料によって形成された部分と一体的に形成され、前記開閉蓋が開放された状態で、前記容器本体の一部に接触する制動手段を備えたことを特徴とする。
かかる構成の家庭用薄葉紙収納容器であれば、開閉蓋に備えられている制動手段が、開閉蓋の開放時に容器本体の一部に接触し、その接触面に摩擦力を付与するようにして、その開閉蓋が回動する勢いを抑えることができるので、開閉蓋が開いた反動で家庭用薄葉紙収納容器が置かれた位置からずれたり向きが変わったりすることがない。
そして、所望する位置に置かれた家庭用薄葉紙収納容器の開閉蓋を好適に開くことができ、その収納容器から家庭用薄葉紙を取り出して使用することができる。
【０００９】
請求項４に記載の発明は、請求項３に記載の家庭用薄葉紙収納容器において、
前記制動手段は、前記容器本体の一部に接触した後、前記開閉蓋の回動が止まるまで、前記容器本体に摺接するように構成されていることを特徴とする。
【００１０】
請求項５に記載の発明は、請求項１〜４のいずれか一項に記載の家庭用薄葉紙収納容器において、
前記制動手段が複数設けられていることを特徴とする。
【００１１】
請求項６に記載の発明は、請求項１〜５のいずれか一項に記載の家庭用薄葉紙収納容器において、
前記付勢手段は、前記弾性材料によって形成された部分と一体的に形成されていることを特徴とする。
【発明の効果】
【００１２】
本発明によれば、開閉蓋を好適に開くことができる家庭用薄葉紙収納容器が得られる。
【図面の簡単な説明】
【００１３】
【図１】本実施形態の家庭用薄葉紙収納容器を示す斜視図である。
【図２】本実施形態の家庭用薄葉紙収納容器を示す斜視図である。
【図３】本実施形態の家庭用薄葉紙収納容器を示す断面図であり、図１のＹ方向中央部における断面図である。
【図４】本実施形態の家庭用薄葉紙収納容器を示す断面図であり、図２のＹ方向中央部における断面図である。
【図５】容器本体上部と容器本体下部との篏合を外した状態における家庭用薄葉紙収納容器の断面図である。
【図６】家庭用薄葉紙収納容器の制動手段の変形例を示す斜視図である。
【図７】家庭用薄葉紙収納容器の制動手段の変形例を示す斜視図である。
【図８】家庭用薄葉紙収納容器の制動手段の変形例を示す断面図である。
【図９】家庭用薄葉紙収納容器の制動手段の変形例を示す断面図である。
【発明を実施するための形態】
【００１４】
以下、図面を参照して、本発明に係る家庭用薄葉紙収納容器の実施形態について詳細に説明する。但し、以下に述べる実施形態には、本発明を実施するために技術的に好ましい種々の限定が付されているが、本発明の範囲を以下の実施形態及び図示例に限定するものではない。
なお、以下においては、図１，２に示すように、Ｘ軸、Ｙ軸及びＺ軸並びに前後方向、左右方向及び上下方向を定めて説明する。すなわち、家庭用薄葉紙収納容器１００の開閉蓋２が備えられた側を「上」、その反対側を「下」、容器本体１と開閉蓋２とが接続されている側を「後」、その反対側を「前」、容器の前面を正面視した状態における右手側を「右」、容器の前面を正面視した状態における左手側を「左」とし、前後方向に沿った軸をＸ軸、左右方向に沿った軸をＹ軸、上下方向の沿った軸をＺ軸とする。
【００１５】
［実施形態の構成］
｛全体構成｝
家庭用薄葉紙収納容器１００は、例えば、図１〜図５に示すように、内部の家庭用薄葉紙Ｐを取り出す取出孔１１２ａを有する容器本体１と、取出孔１１２ａを覆うように開閉自在に容器本体１に接続された開閉蓋２と、開閉蓋２を開放方向に付勢する付勢手段３と、開放された開閉蓋２の一部に接触する制動手段４と、を備え、容器本体１の内部に家庭用薄葉紙Ｐが収納される収納空間Ｓが形成されている。
容器本体１と、開閉蓋２とは、射出成形（２色成形）によって一体的に形成することができる。
【００１６】
｛家庭用薄葉紙｝
家庭用薄葉紙Ｐとしては、例えば、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートが用いられる。その他には、例えば、長さ方向に一定の間隔でミシン目が施された長大なウェットシート、ウェットティッシュ等がロール状に巻かれ、ミシン目に沿って切り離して使用するロールシートを用いることもできる。
【００１７】
｛容器本体｝
容器本体１は、図１，２に示すように、全体として、Ｘ方向及びＺ方向に比してＹ方向に長い略直方体状に形成され、これがＺ方向略中央部付近において上下に二分され、容器本体１の上側を構成する容器本体上部１１と、容器本体１の下側を構成する容器本体下部１２と、が形成されている。容器本体上部１１と、容器本体下部１２とは容器本体１の後側において接続されている。
容器本体上部１１と、容器本体下部１２とは、射出成形（２色成形）によって一体的に形成することができる。
【００１８】
容器本体１は、全体が、Ｘ方向に好ましくは６０ｍｍから１５０ｍｍ、さらに好ましくは８０ｍｍから１００ｍｍ、Ｙ方向に好ましくは８０ｍｍから２００ｍｍ、さらに好ましくは１４５ｍｍから１６５ｍｍ、Ｚ方向に好ましくは３０ｍｍから１００ｍｍ、さらに好ましくは５０ｍｍから７０ｍｍの大きさとなるように形成されている。また、各面の厚みは、好ましくは０．５ｍｍから３ｍｍ、さらに好ましくは１ｍｍから２ｍｍである。
この大きさ及び厚みであれば、成形効率が高く、かつ実使用に問題ない強度を達成することができる。
【００１９】
容器本体１は、図５に示すように、容器本体上部１１と容器本体下部１２とが接続された後側を支点とし、容器本体上部１１を上方へと回動させることによって、内部の収納空間Ｓを外部に開放することができる。
容器本体１後側の、容器本体上部１１と容器本体下部１２との接続部分が、図３〜図５に示すように、容器本体１の他の部分と比較して薄くなるように形成されていることによって、当該接続部分において容器本体の後面を容易に曲げることができ、容器本体上部１１を、当該接続部分を支点として、容器本体下部１２に対して回動させ易くなる。
【００２０】
なお、生産性は低下するものの、容器本体上部１１と、容器本体下部１２とを別体として形成の上、これらをヒンジ等によって回動自在に接続することも可能である。
また、容器本体１が容器本体上部１１と容器本体下部１２とに二分される位置は、図においては、Ｚ方向中央部付近とした場合につき図示したが、Ｚ方向中央部よりも上部であれば、さらに好ましい。この場合、収納された家庭用薄葉紙Ｐが所定の包装体によって覆われた状態で、容器本体１内に収納される場合において、容器の閉塞時に包装体のエンドシール部等を挟み込んでしまうおそれを低減することができ、家庭用薄葉紙Ｐをさらに詰め替え易くなる。
【００２１】
（容器本体上部）
容器本体上部１１は、図１〜図５に示すように、下面が開口部となった略直方体状に形成され、上部に下方に凹状となる凹部１１１が形成されている。
その凹部１１１の中央側の取出し部１１２には、収納空間Ｓの家庭用薄葉紙Ｐを取り出す取出孔１１２ａが設けられ、取出孔１１２ａを囲むようにして、本体側密閉環部１１３が形成されている。換言すれば、凹部１１１内における本体側密閉環部１１３に囲まれた部分が取出し部１１２として形成されており、取出し部１１２の中央部に取出孔１１２ａが設けられている。
また、上面の前側には、開閉蓋２を開閉するための係止手段１１４が形成されている。
また、下面の開口部の周囲には、後述の容器本体下部１２の下部嵌合部１２１と嵌合する上部嵌合部１１６が形成されている。
【００２２】
（取出孔）
取出孔１１２ａは、容器本体上部の上面略中央に形成された、収納空間Ｓにつながる孔部である。
図２においては、十字型に２本の切り込みを入れることにより形成されている場合につき図示したが、これに限られず、切り込みの本数はこれより多数でもよく、また、例えば、直角三角形の重心点と各頂点とを結ぶように、３本の切り込みを形成するようにしてもよい。
この取出孔１１２ａは、後述するようにその周囲が弾性を有する材料によって形成されており、家庭用薄葉紙Ｐに対して適切な抵抗を掛けることで、収納空間Ｓに収納された家庭用薄葉紙Ｐが引き出された後に、次の家庭用薄葉紙Ｐを保持する機能を果たす。また、家庭用薄葉紙Ｐがロールシートである場合において、家庭用薄葉紙Ｐに設けられている切断用のミシン目で、これを切断することを可能とする。
【００２３】
（本体側密閉環部）
本体側密閉環部１１３は、図２に示すように、取出孔１１２ａを囲むように環状に上方へと突出する凸部であり、図３〜図５に示すように、その外周側の面が後述の開閉蓋２に形成された開閉蓋側密閉環部２２の内周側の面と嵌合するように形成されている。
【００２４】
（係止手段）
係止手段１１４は、図１〜図５に示すように、本体側爪部１１４１を備えるボタン状に形成され、本体側爪部１１４１が後述の開閉蓋２に形成される開閉蓋側爪部２１と係合することによって、これを閉塞状態で係止するとともに、使用者が係止手段１１４を押圧した際には、本体側爪部１１４１と開閉蓋側爪部２１との係合が外れ、開閉蓋２が開放状態となるように形成されている。
【００２５】
（上部嵌合部）
上部嵌合部１１６は、図１〜図５に示すように、容器本体上部１１の下側の開口部の周囲に、容器本体上部１１と容器本体下部１２とが接続された後側を除いて形成され、図３〜図５に示すように、下端部が外周側のみ突出し、上部突出部１１６１が形成されており、上部突出部１１６１の内周側の面が、後述の容器本体下部１２に形成される下部嵌合部１２１の下部突出部１２１１の外周側の面と嵌合するように形成されている。
上部嵌合部１１６は、上部突出部１１６１が、上下方向に好ましくは０．５ｍｍから５ｍｍ、さらに好ましくは１ｍｍから３ｍｍの長さを有するように形成される。
【００２６】
（容器本体上部の材質）
容器本体上部１１のうち、上面の取出し部１１２と本体側密閉環部１１３と付勢手段３と制動手段４とが、例えば、スチレン−ブタジエン系、ポリエステル系、ポリエチレン系、ウレタン系等の熱可塑性エラストマー等の弾性を有する材料（以下、「弾性材料」という。）によって形成されている。弾性材料の性質としては、硬度が２０から９０であることが望ましい。なお、上記硬度は、JIS K 6253（タイプＡデュロメータ）によって測定されたものである。
また、容器本体上部１１のうち、上部嵌合部１１６も、同様の弾性材料によって形成されている。
容器本体上部１１のその他の部分は、例えば、ポリエチレン、ポリプロピレン等のポリオレフィン系樹脂材料によって形成されている。
これらは、射出成形（２色成形）によって一体的に形成されている。
なお、弾性材料の硬度が上記よりも低くなると、柔らか過ぎて成形が難しく、成形効率が悪くなる。更に、付勢手段３が開閉蓋２を開放方向へと付勢する力が十分でなくなる。
また、硬度が上記よりも高くなると、取出孔１１２ａ周辺が硬くなり、抵抗が掛かり過ぎて、シートが一枚ずつ取り出しにくくなり、かつ、シートを引っ張り出す際に容器内部まで指を入れ難くなる。更に、付勢手段３が開閉蓋２を開放方向へと付勢する力が強くなり過ぎる。
したがって、弾性材料の硬度は、上記範囲とすることが望ましい。
【００２７】
（容器本体下部）
容器本体下部１２は、図１〜図５に示すように、上面が開口部となった略直方体状に形成され、上面の開口部の周囲には、容器本体上部１１の上部嵌合部１１６と嵌合する下部嵌合部１２１が形成されている。また、下面には、下部滑り止め部１２２が形成されている。
【００２８】
（下部嵌合部）
下部嵌合部１２１は、図１〜図５に示すように、容器本体下部１２の上側の開口部の周囲に、容器本体下部１２と容器本体上部１１とが接続された後側を除いて形成され、図３〜図５に示すように、上端部が内周側のみ突出し、下部突出部１２１１が形成されており、下部突出部１２１１の外周側の面が、容器本体上部１１に形成される上部嵌合部１１６の上部突出部１１６１の内周側の面と嵌合するように形成されている。
下部嵌合部１２１は、下部突出部１２１１が、上下方向に好ましくは０．５ｍｍから５ｍｍ、さらに好ましくは１ｍｍから３ｍｍの長さを有するように形成される。
【００２９】
なお、上部嵌合部１１６の上部突出部１１６１が、内周側のみ突出するように形成され、下部嵌合部１２１の下部突出部１２１１が、外周側のみ突出するように形成され、上部突出部１１６１の外周側の面と、下部突出部１２１１の内周側の面とが嵌合するようにしてもよい。
また、上部突出部が、内周側と外周側の間の中央部が突出するように形成され、下部突出部が、内周側と外周側の両側において突出し、間に凹部が生じるように形成され、上部突出部と、下部突出部の間の凹部とが嵌合するようにしてもよい。反対に、上部突出部が、内周側と外周側の両側において突出し、間に凹部が生じるように形成され、下部突出部が、内周側と外周側の間の中央部が突出するように形成され、下部突出部と、上部突出部の間の凹部とが嵌合するようにしてもよい。
【００３０】
（下部滑り止め部）
下部滑り止め部１２２は、家庭用薄葉紙収納容器１００を載置した際にこれを滑りにくくするための部分であり、容器本体下部１２の下面に、弾性材料によって形成された部分を、他の部分と一体的に設けることにより形成されている。
【００３１】
（容器本体下部の材質）
容器本体下部１２は、下部嵌合部１２１及び下部滑り止め部１２２が、容器本体上部１１において用いられるのと同様の弾性材料によって形成され、その他の部分は、例えば、ポリエチレン、ポリプロピレン等のポリオレフィン系樹脂材料によって形成されている。
これらは、射出成形（２色成形）によって一体的に形成されている。
【００３２】
｛開閉蓋｝
開閉蓋２は、図１〜図５に示すように、容器本体上部１１の凹部１１１後方に回動自在に接続された扁平な略矩形状の部材であり、前側に開閉蓋側爪部２１を備え、下面側に開閉蓋側密閉環部２２を備える。
開閉蓋２は、図１〜図５に示すように、閉塞時の平面視における形状が容器本体上部１１の凹部１１１の平面視における形状と略同一となるように形成されており、閉塞時において、凹部１１１に嵌め込むことができるように形成されている。
なお、開閉蓋２と容器本体上部１１との接続部分が、図４に示すように、他の部分と比較して薄くなるように形成されていることによって、当該接続部分を容易に曲げることができ、開閉蓋２を、当該接続部分を支点として回動させ易くなる。
【００３３】
（開閉蓋側爪部）
開閉蓋側爪部２１は、図１〜図５に示すように、開閉蓋２の前方に突出する爪部であり、容器本体上部１１の係止手段１１４に形成される本体側爪部１１４１と係合することによって、開閉蓋を閉塞状態で係止するとともに、使用者が係止手段１１４を押圧した際には、本体側爪部１１４１と開閉蓋側爪部２１との係合が外れ、後述の付勢手段３によって、開閉蓋２が開放状態となるように形成されている。
【００３４】
（開閉蓋側密閉環部）
開閉蓋側密閉環部２２は、図２に示すように、開閉蓋２の閉塞時における下面側中央部に形成された、下方へと環状に突出する凸部であり、図３〜図５に示すように、その内周側の面が、容器本体上部１１に形成された本体側密閉環部１１３の外周側の面と嵌合するように形成されている。
【００３５】
（開閉蓋の材質）
開閉蓋２は、例えば、ポリエチレン、ポリプロピレン等のポリオレフィン系樹脂材料によって形成されている。
この開閉蓋２と、容器本体１とは、射出成形（２色成形）によって一体的に形成されている。
【００３６】
｛付勢手段｝
付勢手段３は、開閉蓋２を開放方向へと付勢しており、使用者が係止手段１１４を押圧し、本体側爪部１１４１と開閉蓋側爪部２１との係合が外れた際に、開閉蓋２を後方の容器本体上部１１との接続部分を回転軸として回転させるようにして開放させるための部材である。
【００３７】
付勢手段３は、図２〜図５に示すように、容器本体上部１１の本体側密閉環部１１３の後方と繋ぐようにして、容器本体上部１１に弾性材料によって形成された部分を設けることによって形成されている。すなわち、付勢手段３は、容器本体上部１１の弾性材料によって形成された本体側密閉環部１１３と一体的に形成されている。
【００３８】
付勢手段３は、容器本体上部１１の取出し部１１２や本体側密閉環部１１３に用いられているのと同様の弾性材料によって形成されている。
付勢手段３は、幅が好ましくは２ｍｍ〜３０ｍｍ、さらに好ましくは８ｍｍ〜１０ｍｍ、厚みが好ましくは０．５ｍｍ〜３ｍｍ、さらに好ましくは１ｍｍ〜２ｍｍの帯状となるように形成されている。
付勢手段３がこのような大きさに形成されていることによって、開閉蓋２を無理なく押し上げることが可能であり、かつ、開閉蓋２の閉塞時において、凹部１１１内において付勢手段３を容易に折り曲げることができる。
【００３９】
付勢手段３は、図３に示すように、開閉蓋２の閉塞時において、開閉蓋２の付け根近傍において折り曲げられることとなる。そして、使用者が係止手段１１４を押圧し、本体側爪部１１４１と開閉蓋側爪部２１との係合が外れた際には、折り曲げられていた付勢手段３が復元しようとする反発力によって、開閉蓋２が開放され、図４に示す状態となる。
また、使用者が開閉蓋２を閉塞する際には、開閉蓋２を上方から押せば、付勢手段３が折り曲げられ、図３に示す状態となる。
【００４０】
｛制動手段｝
制動手段４は、容器本体上部１１の上面側に露出するように設けられており、開放された状態の開閉蓋２の一部に接触して、その開閉蓋２の回動が止まるまで開閉蓋２に摺接する配置に設けられている。
【００４１】
制動手段４は、図２〜図５に示すように、容器本体上部１１の本体側密閉環部１１３の後方と繋ぐようにして、容器本体上部１１に弾性材料によって形成された部分を設けることによって形成されている。すなわち、制動手段４は、容器本体上部１１の弾性材料によって形成された本体側密閉環部１１３や付勢手段３と一体的に形成されている。
この制動手段４は、容器本体上部１１の上面における、開閉蓋２と容器本体上部１１の接続部分（あるいは開閉蓋２と容器本体上部１１の接続部分に接する位置）に形成されている挿通孔を通じて、容器本体上部１１の上面側に制動手段４の先端部を突き出して露出するように設けられている。
【００４２】
制動手段４は、容器本体上部１１の取出し部１１２、本体側密閉環部１１３、付勢手段３に用いられているのと同様の弾性材料によって形成されている。
制動手段４は、幅が好ましくは５ｍｍ〜１００ｍｍ、さらに好ましくは２０ｍｍ〜４０ｍｍ、厚みが好ましくは０．５ｍｍ〜３ｍｍ、さらに好ましくは１ｍｍ〜２ｍｍの帯状となるように形成されている。
また、制動手段４の先端側は、容器本体上部１１から０．５ｍｍ〜５ｍｍ、さらに好ましくは１ｍｍ〜３ｍｍの長さを突き出して露出している。
制動手段４がこのような大きさに形成されて、容器本体上部１１から露出していることによって、その制動手段４の露出部分が回動する開閉蓋２に確実に接触し、回動する開閉蓋２に好適に摺接して、その開閉蓋２に摩擦力を付与することができる。
【００４３】
つまり、この制動手段４は、開閉蓋２の開放時において、開放された開閉蓋２の一部に接触して、回動する開閉蓋２に摩擦力を付与するようにして、その開閉蓋２が回動する勢いを抑えるようにブレーキをかける機能を有している。
この制動手段４が、開放された開閉蓋２の一部に接触して、その開閉蓋２が回動する勢いを抑えることができるので、開閉蓋２が開いた反動でその開閉蓋２がぐらぐらと振動することはなく、容器本体１が揺れるなどして置かれた位置からずれてしまうことがない。
【００４４】
［実施形態の効果］
本実施形態の家庭用薄葉紙収納容器１００によれば、使用者が係止手段１１４を操作し、開閉蓋２の係止が外れると、付勢手段３によって、開閉蓋２が自動的に跳ね上げられることから、家庭用薄葉紙使用時の開閉蓋２の開放が容易となる。
特に、この家庭用薄葉紙収納容器１００は、開放された開閉蓋２の一部に接触して、回動する開閉蓋２に摩擦力を付与するようにして、その開閉蓋２が回動する勢いを抑えるようにブレーキをかける制動手段４を備えているので、開閉蓋２が開いた反動でその開閉蓋２や容器本体１がぐらつくことはなく、家庭用薄葉紙収納容器１００が置かれた位置からずれたり向きが変わったりしてしまうことがない。
【００４５】
また、この制動手段４は、容器本体上部１１における取出し部１１２や付勢手段３等の弾性部材によって形成された部分と同一の弾性材料によって形成され、容器本体１と一体的に形成することができる。したがって、異なる材料を用いる必要がなく、部品点数も増加しないことから、制動手段４を備えることによって、生産性の低下を招くこともない。
【００４６】
このような制動手段４を備えた家庭用薄葉紙収納容器１００であれば、開閉蓋２を開いた反動で家庭用薄葉紙収納容器１００が置かれた位置からずれてしまうことがないので、所望する位置に置かれた家庭用薄葉紙収納容器１００の開閉蓋２を好適に開くことができ、その収納容器１００から家庭用薄葉紙Ｐを取り出して使用することができる。
【００４７】
また、取出孔１１２ａが設けられている取出し部１１２は、弾性材料によって形成されているので、取出孔１１２ａから引き出した家庭用薄葉紙Ｐに対して適切な抵抗を掛けることができ、収納空間Ｓに収納された家庭用薄葉紙Ｐが引き出された後に、次の家庭用薄葉紙Ｐを好適に保持することができる。また、家庭用薄葉紙Ｐがロールシートである場合、家庭用薄葉紙Ｐに設けられている切断用のミシン目で好適に切断することができる。
【００４８】
また、容器本体１が、容器本体上部１１と容器本体下部１２とによって構成され、これらが後面において接続されていることで、容器本体１をその中央部で開けて、内部の収納空間Ｓに収納された家庭用薄葉紙Ｐを詰め替えることができる。
したがって、家庭用薄葉紙Ｐの詰め替えの際に、家庭用薄葉紙収納容器１００を持ち上げることを要せず、テーブル等に載置した状態のままで、詰め替え作業を行うことができる。
【００４９】
また、容器本体上部１１と容器本体下部１２とは、後面で接続されており、当該接続部分を支点として、容器本体上部１１を、容器本体下部１２に対して回動させるようにして、収納空間Ｓを開閉することができる。したがって、詰め替え後等において、容器本体上部１１と容器本体下部１２との位置を逐一合わせることなく、容易にこれらを嵌合させて容器本体を閉じた状態とすることができ、内部の家庭用薄葉紙Ｐの詰め替えの手間を低減することができる。
【００５０】
また、容器本体上部１１に弾性材料によって上部嵌合部１１６が形成され、容器本体下部１２に弾性材料によって下部嵌合部１２１が形成され、容器本体１の閉塞時に、これらが嵌合することで、容器本体１の気密性も向上することができる。この効果は、上部嵌合部１１６及び下部嵌合部１２１の双方が弾性材料によって形成されていることで、特に高めることができる。
【００５１】
また、容器本体１の下面に弾性材料によって下部滑り止め部１２２が形成されていることで、容器本体１をテーブルの上等に載置した際の安定性を向上させることができる。
【００５２】
［変形例］
なお、本発明は上記実施形態に限られるものではない。
例えば、図６に示すように、家庭用薄葉紙収納容器１００が複数（本実施形態では３つ）の制動手段４を備えていてもよい。
また、図７に示すように、家庭用薄葉紙収納容器１００が開閉蓋２の幅とほぼ同じ寸法を有する幅広の制動手段４を備えていてもよい。
このように、制動手段４の数やサイズを変更する設計を適宜行うようにして、開閉蓋２が回動する勢いを調整することができる。
【００５３】
［他の実施形態］
なお、以上の実施の形態においては、家庭用薄葉紙収納容器１００の容器本体１側に制動手段４が設けられていたが、家庭用薄葉紙収納容器１００の開閉蓋２側に制動手段４が設けられていてもよい。
【００５４】
例えば、図８、図９に示すように、家庭用薄葉紙収納容器１００の開閉蓋２のうち、開閉蓋側密閉環部２２が、スチレン−ブタジエン系、ポリエステル系、ポリエチレン系、ウレタン系等の熱可塑性エラストマー等の弾性材料によって形成されており、開閉蓋２側に設けられている制動手段４も同様の弾性材料によって形成されている。
また、開閉蓋２のその他の部分は、ポリエチレン、ポリプロピレン等のポリオレフィン系樹脂材料によって形成されている。
この開閉蓋２は、射出成形（２色成形）によって一体的に形成されている。すなわち、制動手段４は、開閉蓋２の弾性材料によって形成された開閉蓋側密閉環部２２と一体的に形成されている。
【００５５】
制動手段４は、開閉蓋２の上面に設けられており、制動手段４の自由端部を容器本体上部１１の上面側に突き出した態様に形成されている。
この制動手段４は、開閉蓋２が開放された状態で、容器本体１（容器本体上部１１）の一部に接触して、開閉蓋２の回動が止まるまで容器本体１に摺接する配置に設けられている。
つまり、この制動手段４は、開閉蓋２の開放時において、容器本体１の一部に摺接し、その接触面に摩擦力を付与するようにして、開閉蓋２が回動する勢いを抑えるようにブレーキをかける機能を有している。
開閉蓋２に設けられている制動手段４が容器本体１の一部に接触して、その開閉蓋２が回動する勢いを抑えることができるので、開閉蓋２が開いた反動でその開閉蓋２がぐらぐらと振動することはなく、容器本体１が揺れるなどして置かれた位置からずれてしまうことがない。
【００５６】
このような制動手段４を備えた家庭用薄葉紙収納容器１００であっても、開閉蓋２を開いた反動で家庭用薄葉紙収納容器１００が置かれた位置からずれてしまうことがないので、所望する位置に置かれた家庭用薄葉紙収納容器１００の開閉蓋２を好適に開くことができ、その収納容器１００から家庭用薄葉紙Ｐを取り出して使用することができる。
【００５７】
なお、以上の実施の形態においては、射出成形（２色成形）によって容器本体１と開閉蓋２を一体的に形成したが、本発明はこれに限定されるものではなく、生産性は低下するものの、容器本体１と開閉蓋２とを別体として形成の上、これらをヒンジ等によって回動自在に接続することも可能である。
【００５８】
また、以上の実施の形態においては、付勢手段３は、容器本体１や開閉蓋２と一体的に形成したが、本発明はこれに限定されるものではなく、容器本体１や開閉蓋２とは別体に形成した付勢手段３を、容器本体１や開閉蓋２に取り付けるようにしてもよい。
【００５９】
また、本発明の適用は上述した実施形態に限定されることなく、本発明の趣旨を逸脱しない範囲で適宜変更可能である。
【符号の説明】
【００６０】
１      容器本体
１１１  凹部
１１２  取出し部
１１２ａ  取出孔
１１３  本体側密閉環部
１１４  係止手段
２      開閉蓋
３      付勢手段
４      制動手段
１００  家庭用薄葉紙収納容器
Ｐ      家庭用薄葉紙
【図１】
2020117289.tif 000003
【図２】
2020117289.tif 000004
【図３】
2020117289.tif 000005
【図４】
2020117289.tif 000006
【図５】
2020117289.tif 000007
【図６】
2020117289.tif 000008
【図７】
2020117289.tif 000009
【図８】
2020117289.tif 000010
【図９】
2020117289.tif 000011